(57)【要約】  本発明の空気調和装置の室外機は、筐体と、前記筐体内に配置され、制御基板を収納する制御箱と、前記制御箱の内部の温度を検知する温度センサーと、前記制御箱の内部を加熱する発熱装置と、を備え、前記発熱装置は、前記温度センサーの検知温度が前記制御基板の許容温度の下限値を下回ったときに駆動が開始されるものである。
2017077649.tif 000002
【特許請求の範囲】
【請求項１】
筐体と、
前記筐体内に配置され、制御基板を収納する制御箱と、
前記制御箱の内部の温度を検知する温度センサーと、
前記制御箱の内部を加熱する発熱装置と、を備え、
前記発熱装置は、
前記温度センサーの検知温度が前記制御基板の許容温度の下限値を下回ったときに駆動が開始される
空気調和装置の室外機。
【請求項２】
前記温度センサーは、
前記制御箱内の上方及び下方に２つ設けられている
請求項１に記載の空気調和装置の室外機。
【請求項３】
前記発熱装置は、
電気ヒーターで構成されている
請求項１又は２に記載の空気調和装置の室外機。
【請求項４】
前記発熱装置は、
前記制御箱の下方に設けられている
請求項１〜３のいずれか一項に記載の空気調和装置の室外機。
【請求項５】
前記発熱装置は、
前記温度センサーのうち下方の温度センサーの検知温度が前記制御箱に搭載されている前記制御基板の許容温度の下限値を下回ったときに駆動が開始され、
前記温度センサーのうち上方の温度センサーの検知温度が前記制御箱に搭載されている前記制御基板の許容温度の上限値を上回ったときに駆動が停止される
請求項２及び請求項２に従属する請求項３〜４のいずれか一項に記載の空気調和装置の室外機。
【請求項６】
前記発熱装置は、
ペルチェ素子で構成され、
前記ペルチェ素子は、
前記制御箱に搭載されている前記制御基板の土台を構成している
請求項１又は２に記載の空気調和装置の室外機。
【請求項７】
前記ペルチェ素子は、
前記温度センサーの検知温度が前記制御基板の許容上限温度を上回るときは、前記制御基板側が冷却面として駆動し、
前記温度センサーの検知温度が前記制御基板の許容下限温度を下回るときは、前記制御基板側が加熱面として駆動する
請求項６に記載の空気調和装置の室外機。
【請求項８】
室外空気と冷媒との間で熱交換を行う室外熱交換器と、
前記筐体に取り付けられ、前記筐体内の風路に室外空気を供給するファンを更に備え、
前記制御箱は、前記室外熱交換器と前記ファンとの間の風路に配置されている
請求項１〜７のいずれか一項に記載の空気調和装置の室外機。
【発明の詳細な説明】
【技術分野】
【０００１】
本発明は、電装品を収納した制御箱を有する空気調和装置の室外機に関するものである。
【背景技術】
【０００２】
従来から、空気調和装置の室外機において、制御装置の電装品である整流回路、直流リアクトル及びインバーター等を制御箱に収納しているものがある。そして、その制御箱を室外機内の風路上に配置して上記の電装品を冷却する空気調和装置の室外機が提案されている（例えば特許文献１参照）。
【先行技術文献】
【特許文献】
【０００３】
【特許文献１】特開平１１−７５３６３号公報
【発明の概要】
【発明が解決しようとする課題】
【０００４】
近年、空気調和装置の運転環境の範囲は、販売エリアの拡大に伴い広域となっている。そして、運転環境の広域化に伴い、従来のように電装品の冷却が必要となる高温外気の環境での使用に加えて、−２０℃を下回るような低温外気の環境でも使用される場合が生じてきた。【０００５】
低温外気の環境下においては、空気調和装置の起動時、又は空気調和装置の運転に伴う蒸発器からの冷風により制御箱内の環境温度は下がり、電装品の許容下限の温度を下回ることがある。これにより、各電装品の劣化及び寿命の減少を招くという問題点があった。【０００６】
本発明は、上記のような課題を解決するためになされたものであり、極低温の環境下で空気調和装置が運転された場合であっても、制御箱内の環境温度及び電装品の温度を一定以上に保つ空気調和装置の室外機を得ることを目的とする。
【課題を解決するための手段】
【０００７】
本発明に係る空気調和装置の室外機は、筐体と、前記筐体内に配置され、制御基板を収納する制御箱と、前記制御箱の内部の温度を検知する温度センサーと、前記制御箱の内部を加熱する発熱装置と、を備え、前記発熱装置は、前記温度センサーの検知温度が前記制御基板の許容温度の下限値を下回ったときに駆動が開始されるものである。
【発明の効果】
【０００８】
本発明によれば、発熱装置は、温度センサーの検知温度が制御基板の許容温度の下限値を下回ったときに駆動が開始される構成とする。このようにすることで、極低温の環境下で空気調和装置が運転された場合であっても、制御箱内の環境温度及び電装品の温度を一定以上に保ち、各電装品の劣化及び寿命の減少を抑える空気調和装置の室外機を得ることができる。
【図面の簡単な説明】
【０００９】
【図１】本発明の実施の形態１に係る空気調和装置の室外機を含む回路構成の一例を示す概略回路構成図である。
【図２】本発明の実施の形態１に係る空気調和装置の室外機の冷房運転モード時における冷媒の流れを示す冷媒回路図である。
【図３】本発明の実施の形態１に係る空気調和装置の室外機の暖房運転モード時における冷媒の流れを示す冷媒回路図である。
【図４】本発明の実施の形態１に係る空気調和装置の室外機の概略内部構成図である。
【図５】本発明の実施の形態１に係る空気調和装置の室外機の内部に設けられた制御箱の概略側面断面図である。
【図６】本発明の実施の形態２に係る空気調和装置の室外機の内部に設けられた制御箱の概略側面断面図である。
【図７】本発明の実施の形態２に係る空気調和装置の室外機の内部に設けられたペルチェ素子の状態を示す図である。
【発明を実施するための形態】
【００１０】
以下、本発明の空気調和機の室外機の実施の形態について、図面を参照して説明する。なお、図面の形態は一例であり、本発明を限定するものではない。また、各図において同一の符号を付したものは、同一の又はこれに相当するものであり、これは明細書の全文において共通している。さらに、以下の図面では各構成部材の大きさの関係が実際のものとは異なる場合がある。
【００１１】
実施の形態１．
［空気調和装置の構成］
図１は、本発明の実施の形態１に係る空気調和装置の室外機を含む回路構成の一例を示す概略回路構成図である。図１に示されるように、空気調和装置１００は、室外機１及び室内機２を有し、室外機１と室内機２とは、冷媒主管３及び冷媒主管７で接続されている。
【００１２】
［室外機１の構成］
室外機１には、圧縮機５と、四方弁等の切替弁８と、室外側熱交換器６とが、冷媒配管４で接続されて搭載されている。また、室外機１には、室外送風機９及び制御箱２２が搭載されている。圧縮機５は、低温低圧の冷媒を吸入し、その冷媒を圧縮して高温高圧の状態にするものであり、たとえば容量制御可能なインバーター圧縮機等で構成されている。室外側熱交換器６の付近には、室外送風機９及び制御箱２２が設けられ、室外送風機９は室外側熱交換器６に空気を送風する。室外側熱交換器６は、冷房運転時には凝縮器として機能し、暖房運転時には蒸発器として機能し、例えば、ファン等の室外送風機９から供給される空気と冷媒との間で熱交換を行うものである。切替弁８は、第一ポート８ａ、第二ポート８ｂ、第三ポート８ｃ及び第四ポート８ｄを有し、各ポートを互いに接続することで、後述する冷房運転モード時における冷媒の流れと暖房運転モード時における冷媒の流れとを切り替えるものである。
【００１３】
［室内機２の構成］
室内機２には、室内送風機１２と、室内側熱交換器１０と、絞り装置１１と、が搭載されている。室内機２は、冷媒主管３及び冷媒主管７を介して室外機１と接続し、冷媒が流入又は流出するようになっている。このように、圧縮機５、室外側熱交換器６、絞り装置１１及び室内側熱交換器１０が配管を介して順次接続されて空気調和装置１００の冷媒回路が構成されている。
【００１４】
室内側熱交換器１０は、例えばファン等の室内送風機１２から供給される空気と冷媒との間で熱交換を行い、室内空間に供給するための暖房用空気又は冷房用空気を生成するものである。また、絞り装置１１は減圧弁又は膨張弁としての機能を有し、冷媒を減圧して膨張させるものであり、開度が可変に制御可能なもの、たとえば電子式膨張弁等で構成すると良い。
【００１５】
［冷房運転モード］
図２は、本発明の実施の形態１に係る空気調和装置の室外機の冷房運転モード時における冷媒の流れを示す冷媒回路図である。図２に示されるように、冷房運転モードにおいて、切替弁８は、第一ポート８ａと第二ポート８ｂとが互いに連通し、かつ、第三ポート８ｃと第四ポート８ｄとが互いに連通する状態となる。このようにして、冷媒は、図２の実線矢印で示される方向に流れる。
【００１６】
冷房運転モードの場合、低温低圧の冷媒が、圧縮機５によって圧縮され、高温高圧のガス冷媒となって吐出される。圧縮機５から吐出された高温高圧のガス冷媒は、切替弁８を介して室外側熱交換器６に流入する。室外側熱交換器６に流入した高温高圧ガス冷媒は、室外空気に放熱しながら凝縮し高圧の液冷媒となる。この際、室外側熱交換器６で加熱された室外空気は、制御箱２２を通り、室外送風機９によって室外機１の外へ排出される。そして、室外側熱交換器６から流出した高圧の液冷媒は、室外機１から流出し、冷媒主管７を通り、室内機２に流入する。
【００１７】
室内機２に流入した高圧の液冷媒は、絞り装置１１によって低温低圧の二相冷媒に減圧された後、蒸発器として作用する室内側熱交換器１０に流入する。そして、低温低圧の二相冷媒は、室内空気から吸熱することで室内空気を冷却し、低温低圧のガス冷媒となる。室内側熱交換器１０から流出した低温低圧のガス冷媒は、冷媒主管３を通り室外機１へ流入する。室外機１に流入した冷媒は、切替弁８を通り、圧縮機５へ吸入される。このように冷媒が循環することで、冷房運転モードが行われる。
【００１８】
［暖房運転モード］
図３は、本発明の実施の形態１に係る空気調和装置の室外機の暖房運転モード時における冷媒の流れを示す冷媒回路図である。図３に示されるように、暖房運転モードにおいて、切替弁８は、第一ポート８ａと第三ポート８ｃとが互いに連通し、かつ、第二ポート８ｂと第四ポート８ｄとが互いに連通する状態となる。このようにして、冷媒は、図３の実線矢印で示される方向に流れる。
【００１９】
暖房運転モードの場合、低温低圧の冷媒が圧縮機５によって圧縮され、高温高圧のガス冷媒となって吐出される。圧縮機５から吐出された高温高圧のガス冷媒は、切替弁８を介して冷媒主管３を通り室内機２に流入する。室内機２に流入した高温高圧ガス冷媒は、室内側熱交換器１０で室内空気に放熱し、高圧の液冷媒となり、絞り装置１１へ流入する。そして、絞り装置１１によって低温低圧の二相冷媒に減圧された後、室内機２から流出し、冷媒主管７を通り、室外機１へ流入する。
【００２０】
室外機１へ流入した低温低圧の二相冷媒は、室外側熱交換器６で室外空気から吸熱することで低温低圧のガス冷媒となる。この際、室外側熱交換器６で冷却された室外空気は、制御箱２２を通り、室外送風機９によって室外機１の外へ排出される。室外側熱交換器６を出た低温低圧のガス冷媒は、切替弁８を通り、圧縮機５へ吸入される。このように冷媒が循環することで、暖房運転モードが行われる。
【００２１】
なお、本実施の形態１において、空気調和装置１００が冷房運転モード及び暖房運転モードの両方の運転ができる例を示した。しかし、本発明はこれに限定されず、例えば、空気調和装置１００を極寒冷地で使用する場合には、暖房運転モードのみ運転する冷媒回路の構成としてもよい。この場合、切替弁８を設ける必要が無く、冷媒回路の簡素化を図ることができ、かつ、コストの低減化を図ることが可能となる。
【００２２】
［制御箱の冷却の説明］
図４は、本発明の実施の形態１に係る空気調和装置の室外機の概略内部構成図である。図４に示されるように、空気調和装置１００の室外機１は、筐体２１と、筐体２１の上部に設けられた室外送風機９を備えている。筐体２１の内部には、制御箱２２、室外側熱交換器６、圧縮機５（図示省略）及び切替弁８（図示省略）が設けられている。筐体２１には、室外側熱交換器６に送風するための室外外気の通路となる風路２６が形成されている。室外送風機９は、筐体２１に形成された風路２６に室外空気を送風するものである。そして、筐体２１の上部に設けられた室外送風機９が回転駆動することにより、風路２６に示すように筐体２１内を下側から上側に向かって室外空気が流れる。
【００２３】
制御箱２２には、風路２６と接する外面にヒートシンク２３ａ及びヒートシンク２３ｂが備えられており、室外送風機９の運転時には、風路２６内を室外側熱交換器６の通過後に下側から上側に向かって流れる室外空気によってヒートシンク２３ａ及びヒートシンク２３ｂは冷却される。なお、本実施の形態１においてヒートシンクを２つ設けた例を示したが本発明はこれに限定されず、ヒートシンクを１つ又は３つ以上設けてもよい。また、本実施の形態１において室外送風機９を筐体２１の上部に設けた例を示したが、本発明はこれに限定されず、筐体２１の上部以外の場所に設けてもよい。
【００２４】
図５は、本発明の実施の形態１に係る空気調和装置の室外機の内部に設けられた制御箱の概略側面断面図である。図５に示されるように、制御箱２２は、ヒートシンク２３ａ、ヒートシンク２３ｂ、制御基板２７ａ、制御基板２７ｂ、温度センサー２８ａ、温度センサー２８ｂ及び電気ヒーター３１を有している。ヒートシンク２３ａは、ヒートシンク２３ｂより上部に設置されている。また、制御基板２７ａは、制御基板２７ｂより上部に設置されている。また、温度センサー２８ａは、温度センサー２８ｂより上部に設置されている。なお、本実施の形態１において、ヒートシンク、制御基板及び温度センサーを２つ設けた例を示したが、本発明はこれに限定されず、３つ以上設けても良い。このことは後述する実施の形態２についても同様である。
【００２５】
制御基板２７ａ及び制御基板２７ｂは、空気調和装置１００を制御するものであって、例えばインバーター回路及び高調波抑制回路等が形成された基板である。制御基板２７ａは、土台２４ａを介して背面板２９に接続されている。制御基板２７ｂは、土台２４ｂを介して背面板２９に接続されている。ヒートシンク２３ａ及び制御基板２７ａは、制御箱２２の背面板２９及び土台２４ａを介して隣接して設けられている。ヒートシンク２３ｂ及び制御基板２７ｂは、制御箱２２の背面板２９及び土台２４ｂを介して隣接して設けられている。制御基板２７ａ及び制御基板２７ｂに形成される電装品は、風路２６内を通る風によって冷却されるヒートシンク２３ａ及びヒートシンク２３ｂを介して冷却される。
【００２６】
ここで、制御箱２２内の環境温度の分布状態について説明する。通電時以降の室外機１の運転時においては、インバーター回路などの電装品の発熱が原因となって、制御箱２２の内部の空気の密度に差が生じる。そして、空気の密度の差の性質の関係で、制御箱２２の内部において、上下方向に温度分布が生じ、制御箱２２の内部の上側は、温度が高くなる。一方で、制御箱２２の内部の下側は、温度が低くなる。また、低温外気の状況下で使用される暖房運転時の室外側熱交換器６は蒸発器として機能し、室外側熱交換器６の内部を流通する冷媒の温度は外気温度より低い状態となっている。低温外気の状況下で暖房運転を行うと、室外側熱交換器６を通って冷却された室外空気が風路２６を通り、制御箱２２の下部に当たるため上述した温度分布はより助長される。
【００２７】
そこで、制御箱２２の内部の環境温度の低下を検知する温度センサー２８ｂを制御箱２２の内部に設ける。温度センサー２８ｂは、制御箱２２の下方、特に温度範囲の下限値が見込まれる制御基板２７ｂの最下部に配置する。このようにすることで、制御箱２２の内部の測定ポイントを少なくしながら、制御箱２２の内部に設けられた制御基板２７ａ及び制御基板２７ｂの温度状態が何度以上であるかを把握することができる。
【００２８】
ここで、制御箱２２の内部の環境温度が下がった場合に、制御基板２７ａと制御基板２７ｂとの温度、及び制御箱２２の内部の環境温度を上昇させる手段として、電気ヒーター３１を制御箱２２の内部の下方に設ける。電気ヒーター３１を制御箱２２の内部の下方、特に底部に配置することにより、環境温度が低下しやすい制御箱２２内の下方に設けられた制御基板２７ｂを加温することができる。また、制御基板２７ｂより上方に設けられた制御基板２７ａについても、電気ヒーター３１で温められた空気が自然対流により上昇することで、制御基板２７ａを加温することができる。このように、電気ヒーター３１を制御箱２２の内部の下方に設置することにより、制御箱２２全体を効率よく加温することができる。なお、電気ヒーター３１は、本発明における「発熱装置」に相当する。
【００２９】
次に、電気ヒーター３１の動作について説明する。
外気温度が低温状態の場合の室外機１において、温度センサー２８ｂによって検知された温度が、制御基板２７ａ及び制御基板２７ｂの許容温度の下限値を下回った場合、電気ヒーター３１の駆動が開始される。そして、温度センサー２８ｂによって検知された温度がある一定以上の値となった場合、例えば制御基板２７ａ及び制御基板２７ｂの許容温度の上限値を上回った場合は、電気ヒーター３１の駆動が停止される。ここで、上記の許容温度とは、制御基板２７ａ、２７ｂが正常に動作し、故障等が発生しない温度範囲のことをいう。以上のようにすることで、外気温度が低温状態の場合の室外機１において、制御箱２２の内部の環境温度、制御基板２７ａ及び制御基板２７ｂの温度を一定以上に保ち、制御回路の各電装品の劣化や寿命の減少を抑えることができる。
【００３０】
一方で、外気温度が高い条件で空気調和装置１００が運転される場合には、制御基板２７ａ及び制御基板２７ｂの温度範囲の上限を保護するため、制御箱２２の上方、特に制御基板２７ａの最上部に温度センサー２８ａを設置しておくのが良い。そして、温度センサー２８ａが検知した温度が、制御基板２７ａ及び制御基板２７ｂの許容温度の上限値を超える場合には、室外機１の運転負荷を下げることにより、制御基板２７ａ及び制御基板２７ｂの温度上昇を抑えることができる。
【００３１】
［実施の形態１の効果］
以上のことから、本実施の形態１によれば、空気調和装置１００の室外機１は、筐体２１と、筐体２１内に配置され、制御基板２７ａ、２７ｂを収納する制御箱２２と、制御箱２２の内部の温度を検知する温度センサー２８ａ、２８ｂと、制御箱２２の内部を加熱する発熱装置と、を備え、発熱装置は、温度センサー２８ａ、２８ｂの検知温度が制御基板２７ａ、２７ｂの許容温度の下限値を下回ったときに駆動が開始される。このようにすることで、制御箱２２内の環境温度及び電装品の温度を一定以上に保ち、各電装品の劣化及び寿命の減少を抑える空気調和装置１００の室外機１を得ることができる。
【００３２】
また、温度センサー２８ａ、２８ｂは、制御箱２２内の上方及び下方に２つ設けられている。このようにすることで、制御箱２２の内部の環境温度を少ない温度センサーで効率よく検知することができる。
【００３３】
また、電気ヒーター３１は、制御箱２２の下方に設けられている。このようにすることで、制御箱２２の下方で温められた空気が自然対流により上昇することで、制御箱２２の上方の空気及び電装品を効率良く温めることができる。
【００３４】
また、電気ヒーター３１は、温度センサー２８ａ、２８ｂのうち下方の温度センサー２８ｂの検知温度が制御箱２２に搭載されている制御基板２７ａ、２７ｂの許容温度の下限値を下回ったときに駆動が開始され、温度センサー２８ａ、２８ｂのうち上方の温度センサー２８ａの検知温度が制御箱２２に搭載されている制御基板２７ａ、２７ｂの許容温度の上限値を上回ったときに駆動が停止されるように構成する。このようにすることで、制御箱２２内の環境温度及び電装品の温度を一定に保ち、各電装品の劣化及び寿命の減少を抑える空気調和装置１００の室外機１を得ることができる。
【００３５】
実施の形態２．
本実施の形態２における空気調和装置の室外機の基本的な構成は実施の形態１における空気調和装置の室外機と同様であるため、以下、実施の形態１との相違点を中心に本実施の形態２を説明する。実施の形態１と本実施の形態２との相違点は、発熱装置が、ペルチェ素子で構成されている点である。
【００３６】
図６は、本発明の実施の形態２に係る空気調和装置の室外機の内部に設けられた制御箱の概略側面断面図である。図６に示されるように、制御箱２２は、空気調和装置１００を制御するものである。制御箱２２は、内部にヒートシンク２３ｃ、ヒートシンク２３ｄ、制御基板２７ａ、制御基板２７ｂ、温度センサー２８ａ、温度センサー２８ｂ、ペルチェ素子２９ａ及びペルチェ素子２９ｂを有している。ペルチェ素子２９ａは、ペルチェ素子２９ｂの上方に設けられている。
【００３７】
ペルチェ素子２９ａは、ヒートシンク２３ｃを介して制御基板２７ａに接するように制御箱２２の内壁面に配置される。すなわち、ペルチェ素子２９ａは制御基板２７ａの土台を構成している。同様に、ペルチェ素子２９ｂは、ヒートシンク２３ｄを介して制御基板２７ｂに接するように制御箱２２の内壁面に配置される。すなわち、ペルチェ素子２９ｂは制御基板２７ｂの土台を構成している。
【００３８】
［ペルチェ素子］
外気温度が低い状況下の室外機１において、制御箱２２の下方に設置された温度センサー２８ｂの検知温度が所定の温度以下となった場合には、ペルチェ素子２９ｂのヒートシンク２３ｄと接する面が加温面となるように、ペルチェ素子２９ｂは加電される。そして、温度センサー２８ｂの検知温度が所定の温度以上となった場合には、ペルチェ素子２９ｂへの加電が停止される。このようにすることで、低温外気の状況下で使用される場合においても、制御箱２２の内部の環境温度、制御基板２７ａ及び制御基板２７ｂの温度を一定以上に保ち、制御回路の各電装品の劣化及び寿命の減少を抑制することができる。
【００３９】
一方、外気温度が高い状況下の室外機１において、各電装品の許容上限温度を超えないようにするため、必要であれば、温度センサー２８ａを制御箱２２の上方、特に運転により温度の上昇が懸念される制御基板２７ａの最上部に配置する。そして、温度センサー２８ａによる検知温度が、制御基板２７ａの許容上限温度を超える場合には、室外機１の運転負荷を下げることにより、制御箱２２の内部の温度の上昇を抑え電装品を保護することができる。
【００４０】
また、外気温度が高い状況下の室外機１において、室外機１の運転負荷が高く、制御基板２７ａの温度が許容上限温度を超えるような場合がある。この場合には、ペルチェ素子２９ａのヒートシンク２３ｃと接する面が冷却面となるように、ペルチェ素子２９ａが加電されることにより、室外機１の運転負荷を下げることなく、制御基板２７ａを冷却することもできる。
【００４１】
上述したペルチェ素子２９ａ及びペルチェ素子２９ｂは、加電の極性を変えることにより冷却面と加熱面とを交換することが可能である。したがって、温度センサー２８ａ及び温度センサー２８ｂの検知温度を基に制御箱２２の内部の温度状態を検知し、ペルチェ素子２９ａ及びペルチェ素子２９ｂへの加電の要否、及び冷却面と加熱面との切り替えを行うことができる。このようにすることで、外気温度が低い状況下における制御基板２７ａ、２７ｂの温度の上昇を実現することができる。また、外気温度が高い状況下における制御基板２７ａ、２７ｂの温度の上昇の抑制を実現することができる。
【００４２】
［ペルチェ素子の動作］
図７は、本発明の実施の形態２に係る空気調和装置の室外機の内部に設けられたペルチェ素子の状態を示す図である。図７に示されるように、温度センサー２８ａの検知温度において、制御基板２７ａを保護するために必要な許容上限温度の閾値をＤとする。一方、温度センサー２８ａの検知温度において、制御基板２７ａを保護するために必要な許容下限温度の閾値をＣとする。温度センサー２８ａの検知温度が閾値のＤを上回る場合は、ペルチェ素子２９ａはヒートシンク２３ｃと接する面、つまり制御基板２７ａ側が冷却面となるように加電される。また、温度センサー２８ａの検知温度が閾値のＣを下回る場合は、ペルチェ素子２９ａはヒートシンク２３ｃと接する面、つまり制御基板２７ａ側が加熱面となるように加電される。一方、温度センサー２８ａの検知温度が閾値のＤとＣとの間である場合は、ペルチェ素子２９ａは加電されない。
【００４３】
温度センサー２８ｂの検知温度において、制御基板２７ｂを保護するために必要な許容上限温度の閾値をＢとする。一方、温度センサー２８ｂの検知温度において、制御基板２７ｂを保護するために必要な許容下限温度の閾値をＡとする。温度センサー２８ｂの検知温度が閾値のＢを上回る場合は、ペルチェ素子２９ｂはヒートシンク２３ｄと接する面、つまり制御基板２７ｂ側が冷却面となるように加電される。また、温度センサー２８ｂの検知温度が閾値のＡを下回る場合は、ペルチェ素子２９ｂはヒートシンク２３ｄと接する面、つまり制御基板２７ｂ側が加熱面となるように加電される。一方、温度センサー２８ｂの検知温度が閾値のＢとＡとの間である場合は、ペルチェ素子２９ｂは加電されない。
【００４４】
次に、図７を用いて、ペルチェ素子２９ａ及びペルチェ素子２９ｂの具体的な動作例を説明する。図７に示されるように、温度センサー状態１２０ａの場合において、温度センサー２８ｂの検知温度が閾値のＡを下回っているため、ペルチェ素子２９ｂのヒートシンク２３ｄと接する面が加熱面となるように、ペルチェ素子２９ｂが加電される。一方で、温度センサー状態１２０ａの場合において、温度センサー２８ａの検知温度が閾値のＣとＤの間であるため、ペルチェ素子２９ａには加電がされない。そして、ペルチェ素子２９ｂの加温により制御箱２２の内部の温度が上昇し、温度センサー状態１２０ｂになった時には、ペルチェ素子２９ｂへの加電が終了する。
【００４５】
このように、ペルチェ素子２９ａ及びペルチェ素子２９ｂを制御基板２７ａ及び制御基板２７ｂの冷却に用いることで、制御箱２２の外側面にヒートシンクを設ける必要がなくなり、制御箱をよりコンパクトにすることができる。また、室外機内の風路沿いに制御箱を設置しなければならないという制約を受けることが無くなり、空気調和装置の室外機の構造配置の設計の自由度を向上させることができる。
【００４６】
［実施の形態２の効果］
以上のことから、本実施の形態２によれば、発熱装置は、ペルチェ素子２９ａ、２９ｂで構成され、ペルチェ素子２９ａ、２９ｂは、制御箱２２に搭載されている制御基板２７ａ、２７ｂの土台を構成している。このようにすることで、実施の形態１の効果に加えて、制御箱２２の外側面にヒートシンクを設ける必要がなくなり、制御箱をよりコンパクトにすることができる。また、室外機内の風路沿いに制御箱を設置しなければならないという制約を受けることが無くなり、空気調和装置の室外機の構造配置の設計の自由度を向上させることができる。
【００４７】
また、ペルチェ素子は、温度センサー２８ａ、２８ｂの検知温度が制御基板２７ａ、２７ｂの許容上限温度を上回るときは、制御基板２７ａ、２７ｂ側が冷却面として駆動し、温度センサー２８ａ、２８ｂの検知温度が制御基板２７ａ、２７ｂの許容下限温度を下回るときは、制御基板２７ａ、２７ｂ側が加熱面として駆動する。このようにすることで、制御箱２２内の環境温度及び電装品の温度を一定以上に保ち、各電装品の劣化及び寿命の減少を抑える空気調和装置１００の室外機１を得ることができる。
【００４８】
以上、実施の形態１〜２について説明したが、本発明は各実施の形態の説明に限定されない。例えば、各実施の形態の全て又は一部を組み合わせることも可能である。
【符号の説明】
【００４９】
１  室外機、２  室内機、３  冷媒主管、４  冷媒主管、５  圧縮機、６  室外側熱交換器、７  冷媒主管、８  切替弁、８ａ  第一ポート、８ｂ  第二ポート、８ｃ  第三ポート、８ｄ  第四ポート、９  室外送風機、１０  室内側熱交換器、１１  絞り装置、１２  室内送風機、２１  筐体、２２  制御箱、２３ａ〜２３ｄ  ヒートシンク、２４ａ  土台、２４ｂ  土台、２６  風路、２７ａ  制御基板、２７ｂ  制御基板、２８ａ  温度センサー、２８ｂ  温度センサー、２９  背面板、２９ａ  ペルチェ素子、２９ｂ  ペルチェ素子、３１  電気ヒーター、１００  空気調和装置、１２０ａ  温度センサー状態、１２０ｂ  温度センサー状態。
【図１】
2017077649.tif 000003
【図２】
2017077649.tif 000004
【図３】
2017077649.tif 000005
【図４】
2017077649.tif 000006
【図５】
2017077649.tif 000007
【図６】
2017077649.tif 000008
【図７】
2017077649.tif 000009
【国際調査報告】
2017077649.tif 000010
2017077649.tif 000011
2017077649.tif 000012
2017077649.tif 000013